(57)【要約】      （修正有）【課題】操作者の意図しない誤操作を抑制することができる操作装置を提供する。【解決手段】操作装置１は、ステアリング８０の裏側に設けられ、ステアリング８０を把持した状態でステアリング８０側に引く操作が可能なパドルレバー２０を有するパドルスイッチ２と、パドルレバー２０の裏面２０１に設けられ、ステアリング８０の回転軸Ｌ１に近い第１の操作領域３１、及び回転軸Ｌ１から遠い第２の操作領域３２になされた操作を検出するタッチパッド３と、パドルスイッチ２の操作、第１の操作領域３１において検出された操作、及び第２の操作領域３２において検出された操作の検出パターンに基づいて第１の操作領域３１において検出された操作の有効及び無効を判定する制御部と、を備えて概略構成されている。【選択図】図２
2019051824.tif 000002
【特許請求の範囲】
【請求項１】
ステアリングの裏側に設けられ、前記ステアリングを把持した状態で前記ステアリング側に引く操作が可能なパドルレバーを有するパドルスイッチと、
前記パドルレバーの裏面に設けられ、前記ステアリングの回転軸に近い第１の操作領域、及び前記回転軸から遠い第２の操作領域になされた操作を検出するタッチパッドと、
前記パドルスイッチの操作、前記第１の操作領域において検出された操作、及び前記第２の操作領域において検出された操作の検出パターンに基づいて前記第１の操作領域において検出された操作の有効及び無効を判定する制御部と、
を備えた操作装置。
【請求項２】
前記制御部は、前記検出パターンとして前記パドルスイッチに操作がなされた場合、当該操作から第１の期間内に前記第１の操作領域において検出された操作を無効と判定する、
請求項１に記載の操作装置。
【請求項３】
前記制御部は、前記検出パターンとして前記第１の操作領域において操作が検出されてから第２の期間内に前記パドルスイッチが操作された場合、前記パドルスイッチに操作がなされる直前の前記第１の操作領域における操作を取り消す信号を出力する、
請求項１又は２に記載の操作装置。
【請求項４】
前記制御部は、前記検出パターンとして前記第２の操作領域において操作が検出された後、第３の期間内に前記第１の操作領域において操作が検出された場合、当該操作を無効と判定する、
請求項１乃至３のいずれか１項に記載の操作装置。
【請求項５】
前記制御部は、前記検出パターンとして前記第１の操作領域において操作が検出された後、第４の期間内に前記第２の操作領域において操作が検出された場合、前記第１の操作領域において検出された操作を無効とする、
請求項１乃至４のいずれか１項に記載の操作装置。
【請求項６】
前記制御部は、前記検出パターンとして前記第１の操作領域において操作が検出された後、前記第２の操作領域、前記第１の操作領域の順に操作が第５の期間内に検出された場合、当該検出パターンにおいて検出された前記第１の操作領域になされた操作を有効とする、
請求項１に記載の操作装置。
【請求項７】
前記制御部は、前記検出パターンとして前記第１の操作領域において操作が検出された場合、第６の期間の間に前記第１の操作領域において検出される操作を有効とする、
請求項１に記載の操作装置。
【請求項８】
前記タッチパッドは、前記第１の操作領域を有する第１のタッチパッドと、前記第２の操作領域を有する第２のタッチパッドと、を有する、
請求項１乃至７のいずれか１項に記載の操作装置。
【発明の詳細な説明】
【技術分野】
【０００１】
本発明は、操作装置に関する。
【背景技術】
【０００２】
従来の技術として、ステアリングコラム又はステアリングコラム周辺の部材に対して取り付けられ、少なくとも車両の前後方向に操作可能なように設けられたパドルレバーと、パドルレバーの先端に設けられタッチ操作入力が可能なパドル操作部と、パドル操作部の少なくとも片面に設けられたタッチ操作部と、を備えるパドルスイッチが知られている（例えば、特許文献１参照。）。
【０００３】
このパドルスイッチは、ステアリングコラムに設けられているので、ステアリングホイールから離れた位置にあり、ステアリングホイールの操作時の誤操作を防止することができる。
【先行技術文献】
【特許文献】
【０００４】
【特許文献１】特開２０１４−５８２３４号公報
【発明の概要】
【発明が解決しようとする課題】
【０００５】
しかし従来のパドルスイッチは、パドルレバーを操作する際、意図せずタッチ操作部に触れて誤操作が発生する可能性がある。
【０００６】
従って本発明の目的は、操作者の意図しない誤操作を抑制することができる操作装置を提供することにある。
【課題を解決するための手段】
【０００７】
本発明の一態様は、ステアリングの裏側に設けられ、ステアリングを把持した状態でステアリング側に引く操作が可能なパドルレバーを有するパドルスイッチと、パドルレバーの裏面に設けられ、ステアリングの回転軸に近い第１の操作領域、及び回転軸から遠い第２の操作領域になされた操作を検出するタッチパッドと、パドルスイッチの操作、第１の操作領域において検出された操作、及び第２の操作領域において検出された操作の検出パターンに基づいて第１の操作領域において検出された操作の有効及び無効を判定する制御部と、を備えた操作装置を提供する。
【発明の効果】
【０００８】
本発明によれば、操作者の意図しない誤操作を抑制することができる。
【図面の簡単な説明】
【０００９】
【図１】図１（ａ）は、実施の形態に係る操作装置の一例が搭載された車両内部の概略図であり、図１（ｂ）は、右手で操作する方のタッチパッドの一例を示す概略図であり、図１（ｃ）は、操作装置のブロック図の一例である。
【図２】図２（ａ）は、実施の形態に係る操作装置の一例を上から見た概略図であり、図２（ｂ）は、ステアリングの裏側の一例を示す概略図である。
【図３】図３（ａ）〜図３（ｆ）は、実施の形態に係る操作装置の検出パターンの一例である。
【発明を実施するための形態】
【００１０】
（実施の形態の要約）
実施の形態に係る操作装置は、ステアリングの裏側に設けられ、ステアリングを把持した状態でステアリング側に引く操作が可能なパドルレバーを有するパドルスイッチと、パドルレバーの裏面に設けられ、ステアリングの回転軸に近い第１の操作領域、及び回転軸から遠い第２の操作領域になされた操作を検出するタッチパッドと、パドルスイッチの操作、第１の操作領域において検出された操作、及び第２の操作領域において検出された操作の検出パターンに基づいて第１の操作領域において検出された操作の有効及び無効を判定する制御部と、を備えて概略構成されている。
【００１１】
この操作装置は、パドルスイッチの操作、第１の操作領域の操作、及び第２の操作領域の操作による検出パターン基づいて第１の操作領域の操作が有効か無効かを判定するので、この構成を採用しない場合と比べて、操作者の意図しない誤操作を抑制することができる。
【００１２】
[実施の形態]
（操作装置１の概要）
図１（ａ）は、実施の形態に係る操作装置の一例が搭載された車両内部の概略図であり、図１（ｂ）は、右手で操作する方のタッチパッドの一例を示す概略図であり、図１（ｃ）は、操作装置のブロック図の一例である。図２（ａ）は、実施の形態に係る操作装置の一例を上から見た概略図であり、図２（ｂ）は、ステアリングの裏側の一例を示す概略図である。なお以下に記載する実施の形態に係る各図において、図形間の比率は、実際の比率とは異なる場合がある。またＡ〜Ｂは、ＡとＢが範囲に含まれるものとする。さらに図１（ｃ）では、主な信号や情報の流れを矢印で示している。
【００１３】
操作装置１は、例えば、図１（ａ）〜図２（ｂ）に示すように、ステアリング８０の裏側に設けられ、ステアリング８０を把持した状態でステアリング８０側に引く操作が可能なパドルレバー２０を有するパドルスイッチ２と、パドルレバー２０の裏面２０１に設けられ、ステアリング８０の回転軸Ｌ１に近い第１の操作領域３１、及び回転軸Ｌ１から遠い第２の操作領域３２になされた操作を検出するタッチパッド３と、パドルスイッチ２の操作、第１の操作領域３１において検出された操作、及び第２の操作領域３２において検出された操作の検出パターンに基づいて第１の操作領域３１において検出された操作の有効及び無効を判定する制御部４と、を備えて概略構成されている。
【００１４】
本実施の形態のパドルスイッチ２は、例えば、図１（ａ）に示すように、左右に配置されている。左右のパドルスイッチ２は、主な構成が同じであるので、左右で同じ符号を付している。
【００１５】
またステアリング８０の裏側とは、例えば、図２（ａ）に示すように、操作者に対向する面を表面（紙面の下側）とした場合の反対の面側（紙面上側）であり、コンビネーションスイッチ装置８７と対向する面側である。つまりパドルスイッチ２は、ステアリング８０とコンビネーションスイッチ装置８７の間に配置される。
【００１６】
さらにステアリング８０側に引く操作とは、例えば、図２（ａ）に示す矢印Ａ方向の操作である。本実施の形態のパドルスイッチ２は、車両８の変速機のギアを切り替えるパドルシフト装置である。従ってパドルスイッチ２は、矢印Ａ方向に操作された後、元の位置に復帰するように構成されている。
【００１７】
なお変形例としてパドルスイッチ２が車両８に搭載されたナビゲーション装置や空調装置などの電子機器を操作するスイッチである場合、矢印Ａ方向の操作、及び矢印Ａ方向と反対の方向の操作を検出するように構成されても良い。
【００１８】
ここでステアリング８０の中央部８１は、例えば、エアバッグや警音器などが配置され、ステアリングシャフトと連結されている。またリング部８２は、例えば、リング形状を有し、３つのスポーク部８３〜スポーク部８５を介して中央部８１と連結されている。そしてスポーク部８３及びスポーク部８４は、例えば、図１（ａ）に示すように、およそ９時方向及び３時方向に位置している。このスポーク部８３〜スポーク部８５は、芯金と芯金を覆うカバーなどから構成されている。
【００１９】
（パドルスイッチ２の構成）
左側のパドルスイッチ２は、ステアリング８０のスポーク部８３側に配置されている。従って操作者は、左側のパドルスイッチ２及びタッチパッド３を操作する場合、例えば、スポーク部８３とリング部８２の連結部分を左手で把持して行う。
【００２０】
右側のパドルスイッチ２は、ステアリング８０のスポーク部８４側に配置されている。従って操作者は、右側のパドルスイッチ２及びタッチパッド３を操作する場合、例えば、スポーク部８４とリング部８２の連結部分を右手で把持して行う。
【００２１】
なおパドルスイッチ２は、ステアリング８０と共に回転するが、これに限定されず、ステアリング８０のカバー８６とコラムカバー８８の間に設けられてステアリング８０と共に回転しない構成であっても良い。
【００２２】
この左右のパドルスイッチ２は、例えば、図１（ｃ）及び図２（ａ）に示すように、パドルレバー２０と、スイッチ部２５と、を備えて概略構成されている。
【００２３】
パドルレバー２０は、例えば、図２（ａ）及び図２（ｂ）に示すように、板形状を有している。このパドルレバー２０は、例えば、図２（ｂ）に示すように、基部２１と、ステアリング８０の回転軸Ｌ１から離れた先端部２０ｂに、パドルレバー２０の操作の際に操作指が掛かる指掛部２２と、を有している。
【００２４】
基部２１は、端部２０ａがカバー８６で覆われた部分に回転可能に取り付けられている。この取り付けにより、パドルレバー２０は、例えば、図２（ａ）に示すように、回転軸Ｌ２の周りに回転するように構成されている。
【００２５】
指掛部２２は、基部２１よりも幅が広くされている。そして指掛部２２は、例えば、図２（ｂ）の紙面の上から下、左から右に平行に伸びる凸部２２０が裏面２０１に設けられている。この凸部２２０は、操作指のガイドとして設けられている。従ってタッチパッド３は、この指掛部２２よりも回転軸Ｌ１側に配置される。
【００２６】
パドルレバー２０の端部２０ａ側には、スイッチ部２５が配置されている。このスイッチ部２５は、例えば、パドルレバー２０の操作を検出したことを示すオン信号であるスイッチ信号を制御部４に出力する。
【００２７】
左側のパドルスイッチ２が操作されると、パドルレバー２０を介して左側のスイッチ部２５がオンとなってスイッチ信号Ｓ１が制御部４に出力される。また右側のパドルスイッチ２が操作されると、パドルレバー２０を介して右側のスイッチ部２５がオンとなってスイッチ信号Ｓ２が制御部４に出力される。
【００２８】
（タッチパッド３の構成）
タッチパッド３は、例えば、静電容量方式のタッチセンサである。このタッチパッド３は、例えば、操作面３０の下方に、複数の駆動電極と複数の検出電極とを備えている。そしてタッチパッド３は、駆動電極と検出電極の全ての組み合わせで静電容量を周期的に読み出す。タッチパッド３は、例えば、予め定められたしきい値以上の静電容量に基づいて操作指が接触した座標を算出し、検出情報を生成して制御部４に出力する。この座標の算出は、例えば、加重平均などを利用して行われる。
【００２９】
このタッチパッド３は、例えば、タップ操作、タッチ操作やなぞり操作などを検出するように構成されている。操作者は、例えば、タッチパッド３になぞり操作することによって音量などの設定値を変更したり、表示装置に表示されたカーソルなどを移動させたりすることができる。なおタッチパッド３は、第１の操作領域３１になされたジェスチャを認識するように構成されても良い。
【００３０】
本実施の形態のタッチパッド３は、操作面３０が第１の操作領域３１及び第２の操作領域３２に分けられている。第１の操作領域３１は、ステアリング８０のリング部８２から遠い領域である。また第２の操作領域３２は、ステアリング８０のリング部８２に近い領域である。
【００３１】
そして第１の操作領域３１がメインの操作領域であり、操作者は、この第１の操作領域３１を操作することによってカーソルなどの操作対象を操作することができる。第１の操作領域３１は、第２の操作領域３２よりも大きくされている。
【００３２】
左側のタッチパッド３の第１の操作領域３１及び第２の操作領域３２は、操作指の接触を検出すると第１の検出情報Ｓ３及び第２の検出情報Ｓ４を出力する。また右側のタッチパッド３の第１の操作領域３１及び第２の操作領域３２は、操作指の接触を検出すると第１の検出情報Ｓ５及び第２の検出情報Ｓ６を出力する。
【００３３】
なお変形例としてタッチパッド３は、第１の操作領域３１を有する第１のタッチパッドと、第２の操作領域３２を有する第２のタッチパッドと、の異なるタッチパッドを備えて構成されても良い。
【００３４】
（制御部４の構成）
制御部４は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部４が動作するためのプログラムが格納されている。ＲＡＭは、例えば、一時的に演算結果などを格納する記憶領域として用いられる。また制御部４は、時間を計測する機能を有している。
【００３５】
制御部４は、パドルスイッチ２がパドルシフト装置である場合、左側のパドルスイッチ２からスイッチ信号Ｓ１が入力すると、左側のパドルスイッチ２が操作されたとして変速機のギアを一段下げさせる操作情報Ｓ７を生成して出力する。
【００３６】
制御部４は、パドルスイッチ２がパドルシフト装置である場合、右側のパドルスイッチ２からスイッチ信号Ｓ２が入力すると、右側のパドルスイッチ２が操作されたとして変速機のギアを一段上げさせる操作情報Ｓ７を生成して出力する。
【００３７】
また制御部４は、第１の操作領域３１への操作が有効とされた場合、左側のタッチパッド３から取得した第１の検出情報Ｓ３に基づいてタッチ操作やなぞり操作などが検出されると、なされた操作に基づいて操作情報Ｓ７を生成して接続された電子機器に出力する。
【００３８】
同様に制御部４は、第１の操作領域３１への操作が有効とされた場合、右側のタッチパッド３から取得した第１の検出情報Ｓ５に基づいてタッチ操作やなぞり操作などが検出されると、なされた操作に基づいて操作情報Ｓ７を生成して接続された電子機器に出力する。
【００３９】
続いて、操作装置１における検出パターンごとの有効、無効の判定動作について説明する。
【００４０】
（動作）
図３（ａ）〜図３（ｆ）は、実施の形態に係る操作装置の検出パターンの一例である。この図３（ａ）〜図３（ｆ）は、横軸が時間である。また図３（ｃ）〜図３（ｅ）では、想定される操作指９の移動方向について説明する図を追加している。図中の「ＰＳＷ ＯＮ」は、パドルスイッチ２がオンされたことを示している。また「ＴＰ１ ＯＮ」は、第１の操作領域３１において操作が検出されたことを示している。さらに「ＴＰ２ ＯＮ」は、第２の操作領域３２において操作が検出されたことを示している。さらに図３（ａ）〜図３（ｆ）に示す第１の期間Ｔ１〜第６の期間Ｔ６の長さは、図示を容易にするため、実際の期間の長さを反映したものではない。
【００４１】
なお以下では、記載を簡略化するため、左右のスイッチ信号Ｓ１及びスイッチ信号Ｓ２は、スイッチ信号と記載するものとする。また左右の第１の検出情報Ｓ３及び第１の検出情報Ｓ５は、第１の検出情報と記載するものとする。さらに左右の第２の検出情報Ｓ４及び第２の検出情報Ｓ６は、第２の検出情報と記載するものとする。
【００４２】
・単独でなされる動作
（ａ）第１の操作領域３１のみに操作がなされる場合
操作装置１の制御部４は、左右のパドルスイッチ２のスイッチ部２５ごとにスイッチ信号が入力すると共に、左右のタッチパッド３の第１の検出情報及び第２の検出情報が周期的に入力する。制御部４は、スイッチ信号、第１の検出情報及び第２の検出情報に基づいて少なくとも一方の第１の操作領域３１のみが操作されていると判定すると、第１の操作領域３１になされた操作に応じた操作情報Ｓ７を出力する。
【００４３】
（ｂ）パドルスイッチ２のみに操作がなされる場合
操作装置１の制御部４は、左右のパドルスイッチ２のスイッチ部２５からスイッチ信号が入力すると共に、左右のタッチパッド３の第１の検出情報及び第２の検出情報が周期的に入力する。制御部４は、スイッチ信号、第１の検出情報及び第２の検出情報に基づいて一方のパドルスイッチ２のみが操作されていると判定すると、パドルスイッチ２の操作に応じた操作情報Ｓ７を出力する。なおパドルスイッチ２がパドルシフト装置である場合、左右のパドルスイッチ２の同時操作を受け付けないように構成されるので、操作を受け付けた際は、一方のパドルスイッチ２のみとなる。
【００４４】
制御部４は、上述の単独でなされる操作の判定と、以下に示す複数の検出パターンの少なくとも１つの検出パターンと、を組み合わせてパドルスイッチ２及びタッチパッド３になされた操作の判定を行う。
【００４５】
・図３（ａ）に示す検出パターンについて
制御部４は、例えば、図３（ａ）に示すように、検出パターンとしてパドルスイッチ２に操作がなされた場合、当該操作から第１の期間Ｔ１内に第１の操作領域３１において検出された操作を無効と判定する。
【００４６】
制御部４は、パドルスイッチ２が時間ｔ１において操作されると、時間ｔ２までの第１の期間Ｔ１を設定する。この第１の期間Ｔ１は、パドルスイッチ２の操作の後に意図せず第１の操作領域３１に操作指が触れて検出された場合を想定して設定されたものである。この第１の期間Ｔ１は、一例として、１秒程度である。
【００４７】
そして制御部４は、この第１の期間Ｔ１内において第１の操作領域３１の操作が検出された場合、この検出された操作を無効と判定する。
【００４８】
・図３（ｂ）に示す検出パターンについて
制御部４は、例えば、図３（ｂ）に示すように、検出パターンとして第１の操作領域３１において操作が検出されてから第２の期間Ｔ２内にパドルスイッチ２が操作された場合、パドルスイッチ２に操作がなされる直前の第１の操作領域３１における操作を取り消す信号を出力する。
【００４９】
制御部４は、時間ｔ１０において第１の操作領域３１が操作されると、時間ｔ１２までの第２の期間Ｔ２を設定する。この第２の期間Ｔ２は、パドルスイッチ２の操作の前に意図せず当該パドルスイッチ２側の第１の操作領域３１に操作指が触れて検出される場合を想定して設定されたものである。この第２の期間Ｔ２は、一例として、１秒程度である。
【００５０】
そして制御部４は、パドルスイッチ２が第２の期間Ｔ２内である時間ｔ１１において操作された場合、起点となった第１の操作領域３１の操作を取り消す取消信号Ｓ８を出力する。この取消信号Ｓ８は、例えば、パドルスイッチ２を操作する前に第１の操作領域３１で操作が検出されてカーソルなどが移動した場合、このカーソルの移動を取り消して移動前の位置に戻す信号である。
【００５１】
なお制御部４は、操作情報Ｓ７を出力する前に判定可能であれば、該当する操作に関する操作情報Ｓ７を出力しないように構成されても良い。
【００５２】
ここで変形例として制御部４は、パドルスイッチ２が操作され、この操作の時間ｔ１１から予め定められた期間遡って第１の操作領域３１が操作されている場合、この第１の操作領域３１の操作を取り消す信号を出力するように構成されても良い。この場合、制御部４は、例えば、当該期間内に複数の操作が含まれている際には、最も時間が早い操作に戻るように信号が出力される。
【００５３】
また他の変形例として、制御部４は、例えば、パドルスイッチ２が操作された場合、予め定められた時間（一例として、１秒程度）、遡ってカーソルの位置などを戻す信号を出力するように構成されても良い。
【００５４】
・図３（ｃ）に示す検出パターンについて
制御部４は、例えば、図３（ｃ）に示すように、検出パターンとして第２の操作領域３２において操作が検出された後、第３の期間Ｔ３内に第１の操作領域３１において操作が検出された場合、当該操作を無効と判定する。
【００５５】
制御部４は、例えば、図３（ｃ）に示すように、時間ｔ２０において第２の操作領域３２が操作されると、時間ｔ２１までの第３の期間Ｔ３を設定する。この第３の期間Ｔ３は、例えば、図３（ｃ）の紙面右側に示すように、意図せず操作指９が第２の操作領域３２、第１の操作領域３１となぞって検出された場合を想定して設定されたものである。この第３の期間Ｔ３は、一例として、１秒程度である。
【００５６】
そして制御部４は、この第３の期間Ｔ３内において第１の操作領域３１の操作が検出された場合、この検出された操作を無効と判定する。
【００５７】
・図３（ｄ）に示す検出パターンについて
制御部４は、例えば、図３（ｄ）に示すように、検出パターンとして第１の操作領域３１において操作が検出された後、第４の期間Ｔ４内に第２の操作領域３２において操作が検出された場合、第１の操作領域３１において検出された操作を無効とする。
【００５８】
制御部４は、例えば、図３（ｄ）に示すように、時間ｔ３０において第１の操作領域３１が操作されると、時間ｔ３２までの第４の期間Ｔ４を設定する。この第４の期間Ｔ４は、例えば、図３（ｃ）の紙面右側に示すように、意図せず操作指９が第１の操作領域３１、第２の操作領域３２となぞって検出された場合を想定して設定されたものである。つまり図３（ｄ）に示す検出パターンは、図３（ｃ）に示す検出パターンの逆方向の操作指９の移動を想定している。この第４の期間Ｔ４は、一例として、１秒程度である。
【００５９】
そして制御部４は、この第４の期間Ｔ４内である時間ｔ３１において第２の操作領域３２の操作が検出された場合、第４の期間Ｔ４の起点となる時間ｔ３０において検出された操作を無効と判定する。この場合、制御部４は、時間ｔ３０において検出された操作を取り消す取消信号Ｓ８を出力する。
【００６０】
なお制御部４は、操作情報Ｓ７を出力する前に判定可能であれば、該当する操作に関する操作情報Ｓ７を出力しないように構成されても良い。
【００６１】
・図３（ｅ）に示す検出パターンについて
制御部４は、例えば、図３（ｅ）に示すように、検出パターンとして第１の操作領域３１において操作が検出された後、第２の操作領域３２、第１の操作領域３１の順に操作が第５の期間Ｔ５内に検出された場合、当該検出パターンにおいて検出された第１の操作領域３１になされた操作を有効とする。
【００６２】
この検出パターンは、例えば、図３（ｅ）の紙面右側に示すように、操作者が第１の操作領域３１を操作中に意図せず操作指９が第２の操作領域３２に及ぶような操作を想定している。この第５の期間Ｔ５は、一例として、１秒程度である。
【００６３】
従って制御部４は、例えば、時間ｔ４０において第１の操作領域３１の操作を検出した後、時間ｔ４１において一度第２の操作領域３２の操作を検出し、そして時間ｔ４２において再度第１の操作領域３１において操作が検出された場合、時間ｔ４２が時間ｔ４０〜時間ｔ４３までの第５の期間Ｔ５内であるので、時間ｔ４２においてなされた操作を無効とせずに有効と判定する。この検出パターンの判定は、例えば、連続的な操作の中で複数回行われても良い。
【００６４】
・図３（ｆ）に示す検出パターンについて
制御部４は、例えば、図３（ｆ）に示すように、検出パターンとして第１の操作領域３１において操作が検出された場合、第６の期間Ｔ６の間に第１の操作領域３１において検出される操作を有効とする。
【００６５】
この検出パターンは、第１の操作領域３１を操作する際に意図せず第２の操作領域３２に操作が及んだり、操作面３０から外れたりしても第１の操作領域３１において検出された操作を全て有効とするものである。この第６の期間Ｔ６は、一例として、数秒程度である。
【００６６】
制御部４は、連続的な操作の初回に検出された操作が第１の操作領域３１であった場合、検出された時間ｔ５０を起点として時間ｔ５１までの第６の期間Ｔ６を設定し、その期間内に検出された第１の操作領域３１の操作を全て有効と判定する。
【００６７】
（実施の形態の効果）
本実施の形態に係る操作装置１は、操作者の意図しない誤操作を抑制することができる。具体的には、操作装置１は、パドルスイッチ２、第１の操作領域３１及び第２の操作領域３２になされた操作の検出パターンに基づいて第１の操作領域３１になされた操作が有効か無効かを判定するので、この構成を採用しない場合と比べて、意図せず第１の操作領域３１に触れてしまって操作として認識されるような誤操作を抑制することができる。そして操作装置１は、パドルスイッチ２を操作する際に意図せず第１の操作領域３１に触れた場合であっても第１の操作領域３１において検出された操作が無効となるので、操作性が良い。
【００６８】
操作装置１は、意図せず第１の操作領域３１から第２の操作領域３２、又は第２の操作領域３２から第１の操作領域３１をなぞるような操作が検出された場合であっても適切に第１の操作領域３１への操作を無効と判定するので、誤操作を抑制することができる。
【００６９】
操作装置１は、操作面３０を第１の操作領域３１と第２の操作領域３２とに分けて、第１の操作領域３１への操作が有効であるか無効であるのかの判定に利用するので、この構成を採用しない場合と比べて、より細かい検出パターンを想定して第１の操作領域３１への操作の有効、無効を判定することができる。
【００７０】
操作装置１は、接続された電子機器を操作する第１の操作領域３１がステアリング８０のリング部８２から離れている、つまりパドルレバー２０の指掛部２２から離れているので、指掛部に近い位置に設けられた場合と比べて、パドルレバー２０を操作する際に意図せず触れる頻度が低下して誤操作を抑制することができる。
【００７１】
操作装置１は、誤操作を抑制することができるので、誤操作を抑制するために操作面をパドルスイッチの指掛部から離して配置する場合と比べて、タッチパッド３の操作面３０の面積、つまりメインである第１の操作領域３１の面積を大きくすることができ、操作性を向上させることができる。
【００７２】
操作装置１は、パドルスイッチ２が変速機のギアを切り替えるパドルシフト装置である場合、電子機器のスイッチとして使用される場合よりも使用頻度が高いので、誤操作の頻度が高いと操作性が低下する。しかし操作装置１は、誤操作を抑制することができるので、操作性が良い。
【００７３】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００７４】
１…操作装置、２…パドルスイッチ、３…タッチパッド、４…制御部、８…車両、９…操作指、２０…パドルレバー、２０ａ…端部、２０ｂ…先端部、２１…基部、２２…指掛部、２５…スイッチ部、３０…操作面、３１…第１の操作領域、３２…第２の操作領域、８０…ステアリング、８１…中央部、８２…リング部、８３〜８５…スポーク部、８６…カバー、８７…コンビネーションスイッチ装置、８８…コラムカバー、２０１…裏面、２２０…凸部
【図１】
2019051824.tif 000003
【図２】
2019051824.tif 000004
【図３】
2019051824.tif 000005